(57)【要約】【課題】  無音化状態に設定されて物品収納具内に格納されている状態で携帯電話の着信状態を外部から識別できる構成を備えた釣り下げ可能な装飾具を提供する。【解決手段】  携帯電話を収納可能な構成を備えた物品収納具１に装着可能な釣り下げ可能な装飾具２であって、該釣り下げ装飾具２に設けられているマスコット部２Ｂには、着信警報部として、着信電波の受信に応じて起動される発光部や発音部あるいはマスコット部の一部を動作させるための駆動部のうちの少なくとも一つが設けられていることを特徴としている。【選択図】        図１
0003110448.tif 000002
【実用新案登録請求の範囲】
【請求項１】
携帯電話を収納可能な構成を備えた物品収納具に装着可能な釣り下げ可能な装飾具であって、
該釣り下げ装飾具の装着箇所への取り付け部と、該取り付け部に設けられたマスコット部とを備え、前記マスコット部には、携帯電話の着信警報部が設けられていることを特徴とする釣り下げ可能な装飾具。
【請求項２】
請求項１記載の釣り下げ可能な装飾具において、
前記マスコット部には、着信警報部として、着信電波の受信に応じて起動される発光部や発音部あるいはマスコット部の一部を動作させるための駆動部のうちの少なくとも一つが設けられていることを特徴とする釣り下げ可能な装飾具。
【請求項３】
請求項１または２記載の釣り下げ装飾具において、
前記装着箇所がバッグの握り部であることを特徴とする釣り下げ可能な装飾具。
【考案の詳細な説明】
【技術分野】
【０００１】
本考案は、釣り下げ可能な装飾具に関し、さらに詳しくは、携帯電話を収容可能な構成を備えたバッグの握り部などに装着されて釣り下げ可能なキーホルダーなどにおける携帯電話の着信警報機構を備えた釣り下げ装飾具に関する。
【背景技術】
【０００２】
携帯電話は、既設の公衆電話と違って持ち主のいる場所等移動時での通話が可能という利便性がある装置である。
携帯電話は、携帯性を向上させるために、リング状の紐を電話機本体に掛けて釣り下げ等ができるストラップが用いられることがある（例えば、特許文献１）。
ストラップは、携帯電話機に固定する取り付け部と取り付け部に固定されたキャラクターなどを用いるマスコット部とマスコット部に連続して設けられたループ状の紐などのストラップ部とで主要部が構成されている。
【０００３】
【特許文献１】特開２００４−１０５６７３号公報（段落「０００６」欄）
【考案の開示】
【考案が解決しようとする課題】
【０００４】
近年、携帯電話の呼び出し音の大きさが周辺への迷惑の原因となることが多く、このため、携帯電話自体に振動あるいは光により無音化した状態で着信状態を認識できることが多くなってきている。
【０００５】
しかし、携帯電話の無音化により、例えば、バッグ内などのように、身体から離れた位置に収納して振動が伝わらないような状態で持ち運んでいるような場合には着信状態を見落としてしまう虞もあることは否めない。  
【０００６】
本考案は、このような状況に鑑み、無音化状態に設定されている携帯電話の着信状態を、特に、携帯電話自体の振動などが伝わらない状態であっても着信状態を外部から識別できる構成を備えた釣り下げ装飾具を提供することにある。
【課題を解決するための手段】
【０００７】
請求項１記載の考案は、携帯電話を収納可能な構成を備えた物品収納具に装着可能な釣り下げ可能な装飾具であって、該釣り下げ装飾具の装着箇所への取り付け部と、該取り付け部に設けられたマスコット部とを備え、前記マスコット部には、携帯電話の着信警報部が設けられていることを特徴としている。
【０００８】
請求項２記載の考案は、請求項１記載の釣り下げ可能な装飾具において、前記マスコット部には、着信警報部として、着信電波の受信に応じて起動される発光部や発音部あるいはマスコット部の一部を動作させるための駆動部のうちの少なくとも一つが設けられていることを特徴としている。
【０００９】
請求項３記載の考案は、請求項１または２記載の釣り下げ可能な装飾具において、前記装着箇所がバッグの握り部であることを特徴としている。
【考案の効果】
【００１０】
請求項１乃至３記載の考案によれば、無音化状態で身体から離してバッグなどの物品収納具内に携帯電話が納められている場合でも物品収納具に装着されている釣り下げ可能な装飾具のマスコット部において着信状態を確認することが可能となる。特に請求項２記載の考案においては、メロディや言葉等の発音により光の点滅や点灯あるいはマスコット部自体を揺らすことによりさらにはマスコット部の一部を動かしたりすることで通常状態と異なる態様とすることにより着信状態を確認することが可能となる。
【考案を実施するための最良の形態】
【００１１】
以下、図示実施例による本考案を実施するための最良の形態について説明する。
【実施例】
【００１２】
図１は、本考案実施例による釣り下げ可能な装飾具として、バッグなどの物品収納具（以下、バッグ１という）１に装着できる釣り下げ可能な装飾具であるキーホルダー２を対象とした場合を示す図であり、同図において、バッグ１の握り部１Ａには、キーホルダー２が装着されている。
【００１３】
キーホルダー２は、バッグ１の握り部１Ａに掛け止め可能な係止部２Ａと、マスコット部２Ｂとを備え、これら両部は紐部材２Ａ１により連結されている。
マスコット部２Ｂは、本実施例の特徴部であり、バッグ１内に収納された場合の携帯電話が無音状態に設定されている際に着信状態を警報することができる機能を有している。
警報するための機能を発揮するための構成として、マスコット部２Ｂには、キャラクター人形などの頭部内に図２に示す構成の着信警報制御部３が格納されている。
【００１４】
図２において着信警報制御部３は、携帯電話の着信電波を受信するための受信部３Ａに入力側が接続されている制御部３Ｂを備えている。
制御部３Ｂには、マスコット部２Ｂに内蔵されている発音部４，発光部５あるいはマスコット部２Ｂの一部を動作させるための駆動源６を駆動するドライバ７が接続されている。制御部３Ｂは、受信部３Ａが着信を検出することで得られる電磁誘導起電力による信号に基づいて、いづれかのドライバ７にドライブ信号を発生し、そのドライバ７に接続されている発音部４，発光部５あるいはマスコット部２Ｂの一部を動作させるための駆動源６の少なくとも一つを駆動制御する。
【００１５】
制御部３Ｂは、着信電波の受信部３Ａにおいて着信状態を検知した場合に警報手段として用いられる発音部４，発光部５あるいは駆動源６の動作態位を設定する部分である。
【００１６】
発音部４は、マスコット部２Ｂ内に配置されたスピーカ（図示されず）が相当しており、その動作態位としては、予め登録保存されているメロディやモニター音声の選択が行われる。
発光部５は、マスコット部２Ｂの頭部内に配置されて一部が外部に露呈しているＬＥＤなどの発光素子が相当しており、その動作態位としては、点灯状態、つまり点滅や照度の選択が行われる。
駆動源６は、マスコット部２Ｂが人形型の構成である場合にその一部である腕部を変位させるモータなどが相当し、その動作態位としては、図１中、二点鎖線で示すように、振動、いわゆる連続的なスイング状態や初期位置からの移動などが選択される。これらの動作態位は、単独あるいは組み合わせて実施される。なお、図示しないが、マスコット部２Ｂには、駆動源用の電源および警報制御部３を駆動するための電源を備えるようにしてもよい。また、警報制御部３は、回路構成とすることなく例えば、ＩＣ基板で構成することも可能である。
【００１７】
本実施例は以上のような構成であるから、携帯電話が無音状態の時に着信状態となると、警報制御部３において受信部３Ａにおいて生起される起電力により各警報手段の動作態位が選択設定される。これにより携帯電話の所持者はマスコット部２Ｂの動作態位の変化により無音状態であっても着信があったことを確認することができる。
【００１８】
なお、上記実施例においては、マスコット部２Ｂの頭部内に受信部３Ａを備えた構成としているが、例えば、受信部３Ａを係止部２Ａおよび紐２Ａ１を導電性部材で構成して受信波の波長に合わせた長さのアンテナ部として携帯電話側のロッドアンテナとは別にこのロッドアンテナと同じ受信状態を得ることができるサブアンテナとすることも可能である。
【図面の簡単な説明】
【００１９】
【図１】本考案実施例による釣り下げ可能な装飾具を実装した状態の物品収納具を示す図である。
【図２】図１に示したストラップに備えられているマスコット部に設けられた警報制御部の構成を説明するためのブロック図である。
【符号の説明】
【００２０】
１          バッグ（物品収納具）
２          キーホルダー（釣り下げ可能な装飾具）
２Ａ        係止部
２Ｂ        マスコット部
２Ｂ１      腕部
３          警報制御部
３Ａ        受信部
３Ｂ        制御部
４          発音部
５          発光部
６          駆動源
７          ドライバ
【図１】
0003110448.tif 000003
【図２】
0003110448.tif 000004